(57)【要約】      （修正有）【課題】印刷した巻取り原反や印刷及びラミネーション加工を行った巻取り原反を運搬したり保管する際に載せるための巻取り用架台であって、巻取り原反に使用する巻芯の直径が異なる場合で安定して収納できる巻芯受け部を備えた巻取り用架台を提供する。【解決手段】台座４と支柱５，６と一対の横支持材３とからなり対向する横支持材３の中央部に巻取りの巻芯を支持する巻芯受け部を備えた巻取り用架台において、前記巻芯受け部が先端を台座側としたＶ字状板１１とＶ字状板１１の上端に連接しそれぞれ対向する垂直板１２とで形成された構成であって、一対の巻芯受け部の外側にそれぞれ板状のストッパー２が取り付けられた構成の巻取り用架台である。【選択図】図１
2007084165.tif 000002
【特許請求の範囲】
【請求項１】
台座と支柱と一対の横支持材とからなり対向する横支持材の中央部に巻取りの巻芯を支持する巻芯受け部を備えた巻取り用架台において、前記巻芯受け部が先端を台座側としたＶ字状板とＶ字状板の上端に連接しそれぞれ対向する垂直板とで形成された構成であって、一対の巻芯受け部の外側にそれぞれ板状のストッパーが取り付けられた構成からなることを特徴とする巻取り用架台。
【請求項２】
前記垂直板の上端にそれぞれ外側下方に傾斜する斜め支持板を備えた構成からなることを特徴とする請求項１記載の巻取り用架台。
【請求項３】
前記ストッパーのＶ字状板の中央部に対応する位置に切欠が形成された構成からなることを特徴とする請求項１または２記載の巻取り用架台。
【発明の詳細な説明】
【技術分野】
【０００１】
本発明は、印刷した原反や印刷及びラミネーション加工を行った原反の大きい巻取りを運搬したり保管する際に、それらの大きい巻取り原反を載せるための巻取り用架台に関する。
【背景技術】
【０００２】
従来、巻取り用架台としては、支持台を備えた金属製の枠体の支持台上の対向する位置に、巻取りの巻芯を受ける半円形状の受け部と半円形状の受け部の外側に巻取りが巻芯の方向にずれるのを防止する棒状のストッパーを備えた形状の巻取り用架台（例えば、特許文献１参照）が知られている。
【特許文献１】特開２００２−１５４６２４号公報
【０００３】
しかしながら、上記の巻取り用架台の場合、受け部が半円形状となっているため、受け部の半円形状にぴったりと嵌まる大きさの巻芯に巻かれた巻取りの場合は、半円形状の受け部に安定した状態で収納されるので優れた安定性が得られるが、巻取りの巻芯の径が受け部の半円形状の径よりも小さい巻取りを収納した場合、半円形状の受け部内で巻芯が移動するので安定性が得られないし、逆に半円形状の受け部より径の大きい巻芯の場合は受け部に収納出来ないので使用出来ないという欠点を有している。
【発明の開示】
【発明が解決しようとする課題】
【０００４】
本発明の目的は、印刷した大きい巻取り原反や印刷及びラミネーション加工を行った大きい巻取り原反を運搬したり保管する際に巻取り原反を載せるための巻取り用架台であって、巻取り原反に使用する巻芯の直径が異なった場合でも、巻芯受け部の垂直板間の間隔よりも小さい直径の巻芯を使用した巻取りであれば安定して収納できる巻取り用架台を提供することである。
【課題を解決するための手段】
【０００５】
台座と支柱と一対の横支持材とからなり対向する横支持材の中央部に巻取りの巻芯を支持する巻芯受け部を備えた巻取り用架台において、前記巻芯受け部が先端を台座側としたＶ字状板とＶ字状板の上端に連接しそれぞれ対向する垂直板とで形成された構成であって、一対の巻芯受け部の外側にそれぞれ板状のストッパーが取り付けられた構成からなる巻取り用架台である。
【０００６】
上記の巻取り用架台において、前記垂直板の上端にそれぞれ外側下方に傾斜する斜め支持板を備えた構成である。
【０００７】
上記の巻取り用架台において、前記ストッパーのＶ字状板の中央部に対応する位置に切欠が形成された構成である。
【発明の効果】
【０００８】
本発明の巻取り用架台では、巻芯受け部の形状が、底部がＶ字状板であり、Ｖ字状板の上端にそれぞれ対向するように垂直板が形成された断面が楔型とされているので、巻取りに使用される巻芯の直径が対向するように垂直板間の長さより小さければ全ての巻芯に適用することができ、対向するように垂直板により巻芯受け部に収納される巻取りの水平方向への移動を防止することができる。
【０００９】
請求項２に係る発明では、巻芯受け部の垂直板が外側の斜め支持板により補強されているので重量の大きい巻取りを収納した場合でも垂直板が外側に折れ曲がることがないので巻取りの横方向への移動を防止できる。      
【００１０】
請求項３に係る発明では、巻取りに使用される巻芯の直径が小さい場合でも、ストッパーの切欠の箇所から巻芯に芯棒を通して巻取りを吊り上げることができる。
【発明を実施するための最良の形態】
【００１１】
以下、図面を引用して本発明の実施の形態を説明する。
図１は本発明の巻取り用架台の部分斜視図、図２は巻芯受け部の拡大側面図であって、１は巻芯受け部、11はＶ字状底面板、12は垂直板、13は斜め支持板、２はストッパー、21は切欠、３横支持材、４は台座、５，６は支柱をそれぞれ表す。
【００１２】
本発明の巻取り用架台の実施形態は部分斜視図が図１に、巻芯受け部の拡大側面図が図２にそれぞれ示されているとおりである。実施形態の巻取り用架台は、４角形状の台座４の４隅に支柱５が設けられ対向するそれぞれ２本の支柱５間に一対の水平方向の横支持材３が設けられて支柱６により支持されるとともに横支持材３の中央部にそれぞれ巻芯受け部１が取り付けられており、巻芯受け部１が先端を台座側としたＶ字状板11とＶ字状板の上端に連接しそれぞれ対向する垂直板12と垂直板12の上端にそれぞれ外側下方に傾斜する斜め支持板13を備え、一対の巻芯受け部１の外側にＶ字状板11の中央部に対応する位置に切欠21が形成され板状のストッパー２が取り付けられた構成からなる。
【００１３】
実施形態の巻取り用架台において、巻芯受け部１のＶ字状板11とＶ字状板の上端に連接しそれぞれ対向する垂直板12とが強度の優れた素材で形成されている場合は斜め支持板13を備えない構成とすることもできる。ストッパー２に形成される切欠21は、巻取りを持ち上げる場合に巻芯に芯棒を通して持ち上げるのであるが、巻芯の直径が小さい場合にはストッパー２が障害になって巻芯に芯棒を通すことが出来ないので、それを防止するためにストッパー２に切欠21が形成されているものである。
【００１４】
実施形態の巻取り用架台の場合、巻取りの巻芯の直径が、巻芯受け部１の対向する垂直板12間の間隔より小さい巻取りは全て巻芯受け部１に安定した状態で収納することができる。即ち、直径の小さい巻芯はＶ字状板11の先端部に収納され、直径の大きい巻芯はＶ字状板11の上部に収納され、垂直板12間の間隔と同じ大きさの直径の巻芯の巻取りまで安定して収納することができま。また、直径の小さい巻芯の場合に、架台の移動中に揺れて巻芯がＶ字状板11から飛び出した場合でも垂直板12で保持できるので、安定して巻取りを収納することができる。
【図面の簡単な説明】
【００１５】
【図１】本発明の巻取り用架台の部分斜視図。
【図２】巻芯受け部の拡大側面図。
【符号の説明】
【００１６】
１  巻芯受け部
11  Ｖ字状底面板
12  垂直板
13  斜め支持板
２  ストッパー
21  切欠
３  横支持材
４  台座、
５，６  支柱
【図１】
2007084165.tif 000003
【図２】
2007084165.tif 000004